(57)【要約】【課題】  補助動力装置を追加することで、動力源（主動力装置）であるモータ６の出力の増強および駆動力の増加を抑えることを課題とする。【解決手段】  モータシャフト１１およびロータリバルブ１５は、トーションバー１２を介してバルブシャフト１３およびベーンロータ１６に連結している。そして、モータシャフト１１およびロータリバルブ１５とバルブシャフト１３およびベーンロータ１６との間に位相差が生じた時、その位相差を解消する方向に第１〜第４バルブ５を駆動する補助動力を発生する。この補助動力として、第１〜第４バルブ５よりも下流側の第１〜第４吸気ポート３内の吸気圧力とエンジンの周囲環境の大気圧力との圧力差を利用している。これにより、第１〜第４バルブ５に開弁作動方向への曲げモーメントが加わった場合であっても、動力源であるモータ６の出力の増強および駆動力の増加を抑えることができる。【選択図】  図１
2009133293.tif 000002
【特許請求の範囲】
【請求項１】
内燃機関の燃焼室への吸入空気量を調整するスロットル弁としての機能、および前記内燃機関の燃焼室内に旋回流を発生させる気流制御弁としての機能を併せ持つバルブを駆動するバルブ駆動装置において、
前記バルブを駆動する駆動力を発生するモータと、
前記バルブの回転軸と前記モータの回転軸とを同軸的に連結するトーションバーと、
前記モータの回転軸と前記バルブの回転軸との間に位相差が生じた時、その位相差を解消する方向に前記バルブの回転軸を駆動する補助動力装置と
を備えたことを特徴とするバルブ駆動装置。
【請求項２】
請求項１に記載のバルブ駆動装置において、
前記補助動力装置は、
前記トーションバーよりもモータ側に配設されて、前記モータの回転軸と一体的に回転する第１回転体、および前記トーションバーよりもバルブ側に配設されて、前記バルブの回転軸と一体的に回転する第２回転体を有し、
前記第１回転体と前記第２回転体との間に位相差が生じた時、その位相差を解消する方向に前記バルブの回転軸を駆動する補助動力を発生することを特徴とするバルブ駆動装置。
【請求項３】
請求項１または請求項２に記載のバルブ駆動装置において、
前記補助動力装置は、
前記バルブよりも下流側の吸気通路内の吸気圧力と前記内燃機関の周囲環境における大気圧力との圧力差を前記バルブの回転軸を駆動する補助動力に利用していることを特徴とするバルブ駆動装置。
【請求項４】
請求項１ないし請求項３のうちのいずれか１つに記載のバルブ駆動装置において、
前記バルブの回転軸は、前記内燃機関の燃焼室に吸入空気を供給するための吸気通路内における空力中心から離れた位置に配設されていることを特徴とするバルブ駆動装置。
【発明の詳細な説明】
【技術分野】
【０００１】
本発明は、スロットル弁としての機能と気流制御弁としての機能とを併せ持つ吸気制御バルブを開弁作動方向または閉弁作動方向に駆動するバルブ駆動装置に関するものである。
【背景技術】
【０００２】
［従来の技術］
従来より、内燃機関（エンジン）の燃焼室に供給される吸入空気量を調整するスロットル弁と、このスロットル弁よりも下流側の吸気通路を開閉してエンジンの燃焼室内に旋回流を発生させる気流制御弁とを備えた内燃機関の吸気制御装置が公知である。
ここで、スロットル弁は、その回転軸を介して、バルブ駆動装置に駆動されるように構成されている。また、気流制御弁は、その回転軸を介して、バルブ駆動装置に駆動されるように構成されている。
【０００３】
したがって、スロットル弁は、エンジンの燃焼室への吸入空気量の調整のため、吸気通路の開口率をスロットル全閉位置からスロットル全開位置に至るまでのバルブ作動範囲内において連続的に変化させる必要がある。これに対し、気流制御弁のバルブは、単純に吸気通路を全開する全開操作と吸気通路を全閉する全閉操作とを行う場合が多い。このため、一般的に、スロットル弁のアクチュエータおよび気流制御弁のアクチュエータは、各々独立して配設されている。
【０００４】
ここで、気流制御弁の弁軸の一端上に設けられるアクチュエータの蛇腹状の可撓部材内に形成される負圧室の負圧に応じて可撓部材が周方向に伸縮することでプレートが回転され、プレートと共に弁軸が回転することで、気流制御弁のバルブが開閉される吸気制御弁装置が公知である（例えば、特許文献１参照）。
また、気流制御弁は、エンジンの始動時やアイドル運転時等の、スロットル弁の開度が比較的に小さい時、つまりスロットル全閉位置近傍期間のみ、エンジンの燃焼室内に旋回流を生成するように構成されている。
ところで、気流制御弁がスロットル全閉位置近傍期間のみで作動すれば良いことを利用し、スロットル弁としての機能と気流制御弁としての機能とを併せ持つバルブとすれば、各々のバルブ駆動装置を共通化できるので、バルブ駆動装置の部品点数を削減でき、低コスト化を図ることができる。
【０００５】
［従来の技術の不具合］
ところが、スロットル弁としての機能と気流制御弁としての機能とを併せ持つバルブと、このバルブの回転軸を駆動するバルブ駆動装置とを備えたシステムにおいては、エンジンの運転中に、スロットル全閉位置よりバルブを僅かに開いたスロットル全閉位置近傍の時、バルブ表面に吸気負圧が作用すると、バルブの回転軸を中心とする開弁作動方向への負荷トルク（曲げモーメント）が加わる。これにより、バルブの回転軸に負荷トルクの大きさに対応した捩じれが発生する。この捩じれは、バルブに作用する吸気通路内の空力中心から離れたところに回転軸が配設された片持ち式のバルブの場合に、より顕著に表れる。
【０００６】
すなわち、片持ち式のバルブを、スロットル弁としての機能と気流制御弁としての機能とを併せ持つバルブに採用した場合に、スロットル全閉位置近傍期間でエンジンの燃焼室内に旋回流を発生させるために吸気通路の通路断面積を絞ると、バルブの前後に圧力差が生じ、空力中心と回転軸との距離に応じて曲げモーメントが生じ、捩じれが発生するので、バルブ駆動装置の動力源（例えばモータ等）の駆動力を増加させる必要があった。
また、スロットル全閉位置よりバルブを少しだけ開いたスロットル全閉位置近傍（微小開度の状態）では、急激にバルブの前後の圧力差が増大するのに対し、バルブを半開きした時およびバルブを全開した時の圧力差は小さい。このため、通常は使用する期間が短い、あるいは頻度が少ないスロットル全閉位置近傍に合わせてバルブ駆動装置の動力源の出力を増強したり、動力源の駆動力を増加したりする必要がある。これは、明らかに無駄である。
【特許文献１】特開２０００−００８８８４号公報
【発明の開示】
【発明が解決しようとする課題】
【０００７】
本発明の目的は、バルブを全閉位置より少しだけ開いた微小開度の時にバルブに吸気負圧が作用してバルブに開弁作動方向への負荷トルク（曲げモーメント）が加わった場合であっても、動力源であるモータの出力の増強および駆動力の増加を抑えることのできるバルブ駆動装置を提供することにある。
【課題を解決するための手段】
【０００８】
請求項１に記載の発明によれば、モータの回転軸とバルブの回転軸との間に、トーションバーおよび補助動力装置を設けている。
そして、スロットル弁としての機能と気流制御弁としての機能とを併せ持つバルブを全閉位置より少しだけ開いた微小開度で保持するように、モータへの供給電力を制御すると、バルブに吸気負圧が作用してバルブに開弁作動方向への負荷トルク（曲げモーメント）が加わる。これにより、バルブの回転軸に負荷トルクの大きさに対応した捩じれが発生する。
【０００９】
ここで、バルブの回転軸とモータの回転軸とを同軸的に連結するトーションバーを設けているので、バルブの回転軸に捩じれが発生すると、トーションバーが撓み、モータの回転軸とバルブの回転軸との間に位相差が生じる。そして、モータの回転軸とバルブの回転軸との間に位相差が生じると、補助動力装置によってモータの回転軸とバルブの回転軸との間の位相差を解消する方向にバルブの回転軸が駆動される。
したがって、バルブに吸気負圧が作用してバルブに開弁作動方向への負荷トルク（曲げモーメント）が加わった場合であっても、補助動力装置の補助動力によりバルブを全閉位置より少しだけ開いた微小開度で保持することが可能となるので、バルブを駆動する駆動力を発生する動力源であるモータの出力の増強および駆動力の増加を抑えることができる。
【００１０】
請求項２に記載の発明によれば、補助動力装置は、トーションバーよりもモータ側に配設されて、モータの回転軸と一体的に回転する第１回転体、およびトーションバーよりもバルブ側に配設されて、バルブの回転軸と一体的に回転する第２回転体を有している。そして、第１回転体と第２回転体との間に位相差が生じた時に、その位相差を解消する方向にバルブの回転軸を駆動する補助動力を発生する。これにより、動力源であるモータの出力の増強および駆動力の増加を図る必要がない。
【００１１】
請求項３に記載の発明によれば、バルブよりも下流側の吸気通路内の吸気圧力と内燃機関の周囲環境における大気圧力との圧力差をバルブの回転軸を駆動する補助動力に利用することにより、動力源であるモータの出力の増強および駆動力の増加を図る必要がない。  請求項４に記載の発明によれば、バルブの回転軸は、吸気通路内における空力中心から離れた位置に配設されている。
【発明を実施するための最良の形態】
【００１２】
本発明を実施するための最良の形態は、バルブを全閉位置より少しだけ開いた微小開度の時にバルブに吸気負圧が作用してバルブに開弁作動方向への負荷トルク（曲げモーメント）が加わった場合であっても、動力源であるモータの出力の増強および駆動力の増加を抑えるという目的を、モータの回転軸とバルブの回転軸との間に、トーションバーおよび補助動力装置を設けることで実現した。
【実施例１】
【００１３】
［実施例１の構成］
図１ないし図５は本発明の実施例１を示したもので、図１は内燃機関の吸気制御装置を示した図で、図２は内燃機関を示した図で、図３ないし図５は内燃機関のシリンダヘッドに取り付けられた補助駆動装置を示した図である。
【００１４】
本実施例の内燃機関の制御装置（エンジン制御システム）は、複数の気筒（第１〜第４気筒＃１〜＃４）を有する内燃機関（例えば４気筒ガソリンエンジン：以下エンジンと言う）の各気筒（シリンダ）に吸入される吸入空気を制御する内燃機関の吸気制御装置として使用されるものである。
この内燃機関の吸気制御装置は、エンジンの各気筒の燃焼室に供給する吸入空気の流量（吸入空気量）を制御する電子スロットル装置を備えている。この電子スロットル装置は、エンジンの各気筒内において混合気の燃焼を促進させるための旋回流（吸気渦流）を発生させる吸気渦流発生装置を兼ねている。そして、電子スロットル装置（吸気渦流発生装置）は、自動車等の車両のエンジンルーム内に搭載されて、エンジンの吸気系統に組み込まれている。
【００１５】
ここで、エンジンは、吸入空気と燃料との混合気を燃焼室内で燃焼させて得られる熱エネルギーにより出力を発生する水冷式のガソリンエンジンで、吸気行程、圧縮行程、膨張（燃焼）行程、排気行程の４つの行程（ストローク）を周期（サイクル）として繰り返す４サイクルエンジンが採用されている。このエンジンは、エンジンの各気筒毎の燃焼室内に吸入空気（吸気）を導入するための吸気管（図示せず）と、エンジンの各気筒毎の燃焼室より流出する排気ガスを外部に排出するための排気管（図示せず）とを備えている。
【００１６】
エンジンの吸気管は、エンジンの各気筒毎の燃焼室に吸入空気を供給するための吸気通路を形成するケーシング（インテークダクト、吸気導入ダクト）である。この吸気管は、エアクリーナケース、インテークパイプ、サージタンクおよびインテークマニホールド等を有している。
エンジンの排気管は、エンジンの各気筒毎の燃焼室より流出する排気ガスを排気浄化装置を経由して外部に排出するための排気通路を形成するケーシング（エキゾーストダクト、排気導出ダクト）である。この排気管は、エキゾーストマニホールドおよびエキゾーストパイプ等を有している。
【００１７】
エンジン本体は、シリンダヘッド１およびシリンダブロック２等によって構成されている。シリンダヘッド１は、内部に気筒数分のインテークポートおよびエキゾーストポートが形成された吸気導入ダクトを構成している。
シリンダヘッド１の一方側には、複数のインテークポート（各気筒毎の吸気ポート：以下第１〜第４吸気ポートと呼ぶ）３が形成されている。これらの第１〜第４吸気ポート３は、エンジンの各気筒毎の燃焼室内に吸入空気を供給するための吸気通路（内燃機関の吸気通路）を構成するものである。
【００１８】
各第１〜第４吸気ポート３の吸気流方向の上流側には、インテークマニホールドの各分岐管部が気密的に接続する１つの共通吸気ポートが設けられている。また、各第１〜第４吸気ポート３の吸気流方向の下流側には、１つの共通吸気ポートに対して２つの分岐吸気ポートが設けられている。そして、２つの分岐吸気ポートの各バルブシートのスロート部には、それぞれ円形状の吸気ポート開口部（吸気弁口）が形成されている。２つの分岐吸気ポートの各吸気ポート開口部は、それぞれ対応したポペット型のインテークバルブ（各気筒毎の吸気バルブ：以下吸気バルブと略す）２１によって開閉される。
【００１９】
一方、シリンダヘッド１の他方側には、複数のエキゾーストポート（各気筒毎の排気ポート：以下第１〜第４排気ポートと呼ぶ）４が形成されている。これらの第１〜第４排気ポート４は、１つの燃焼室に対して２つの分岐排気ポート、およびこれらの分岐排気ポートに対して１つの共通排気ポート等を有している。そして、２つの分岐排気ポートの各バルブシートのスロート部には、それぞれ円形状の排気ポート開口部（排気弁口）が形成されている。２つの分岐排気ポートの各排気ポート開口部は、それぞれ対応したポペット型のエキゾーストバルブ（各気筒毎の排気バルブ：以下排気バルブと略す）２２によって開閉される。そして、第１〜第４排気ポート４の各共通排気ポートの吸気流方向の下流端には、エキゾーストマニホールドの各分岐管部が気密的に接続されている。
【００２０】
そして、シリンダヘッド１には、先端部が各気筒毎の燃焼室内に露出するようにスパークプラグ（図示せず）が取り付けられている。また、シリンダヘッド１には、第１〜第４吸気ポート３内に最適なタイミングで噴射するインジェクタ２３が取り付けられている。また、シリンダブロック２の内部に形成される複数のシリンダボア内には、ピストン２４が、それぞれ図示上下方向に摺動自在に支持されている。また、シリンダブロック２には、エンジン冷却水の温度（冷却水温）を検出する冷却水温センサが搭載されている。また、エンジンのクランクシャフト２５の近傍には、所定のクランク角度毎にクランク角度信号（ＮＥパルス信号）を出力するクランク角度センサが取り付けられている。
【００２１】
本実施例の電子スロットル装置（吸気渦流発生装置）は、エンジン本体（シリンダヘッド１、シリンダブロック２）またはインテークマニホールドに形成される複数の吸気通路（第１〜第４吸気ポート３）毎に設置された第１〜第４吸気制御バルブ（以下第１〜第４バルブと略す）５と、これらの第１〜第４バルブ５を駆動するアクチュエータを備えている。このアクチュエータは、１本のバルブシャフト１３を介して、複数の第１〜第４バルブ５のバルブ開度（バルブ角度）を一括変更することが可能な１つのバルブ駆動装置を構成している。
ここで、シリンダヘッド１は、各第１〜第４吸気ポート３を隔てて対向する対向壁部に、バルブシャフト１３を支持する軸受けをそれぞれ有している。複数の軸受けの軸受け孔（シャフト貫通孔）２６の内部には、バルブシャフト１３が回転自在に支持されている。  
【００２２】
第１〜第４バルブ５は、スロットル弁としての機能と気流制御弁としての機能とを併せ持つ吸気制御弁の弁体であって、エンジンの各気筒毎に独立して接続される第１〜第４吸気ポート（特に共通吸気ポート）３毎にそれぞれ開閉自在に設置されている。また、第１〜第４バルブ５は、第１〜第４吸気ポート３の流路方向（吸気流方向）に対して垂直な水平方向に真っ直ぐに延びる１本のバルブシャフト（バルブの回転軸）１３を有している。このバルブシャフト１３は、トーションバー１２を介して、モータ６のモータシャフト１１に駆動連結されている。
【００２３】
第１〜第４バルブ５は、エンジン本体のシリンダヘッド１に形成された複数の軸受け孔２６を貫通するバルブシャフト１３の各バルブ保持部に支持固定（あるいは一体成形）されている。また、各第１〜第４バルブ５は、各第１〜第４吸気ポート（特に共通吸気ポート）３の空力中心から第１〜第４吸気ポート３の重力方向における下方側に離れた位置近傍に回転中心軸線を有するように構成された片持ち式のバルブである。つまり各第１〜第４バルブ５は、空力中心とバルブシャフト１３および回転中心とが離れた蝶番弁である。  
【００２４】
また、第１〜第４バルブ５は、シリンダヘッド１の内部に開閉自在に設置されて、シリンダヘッド１に対して相対回転する回転型のバルブで、バルブシャフト１３の中心軸線周りを回転して第１〜第４吸気ポート３を開閉する。
そして、第１〜第４バルブ５は、エンジン運転時にエンジン制御ユニット（ＥＣＵ）からの制御信号（モータ印加電圧またはＰＷＭ信号のデューティ比等）に基づいて、スロットル全閉位置からスロットル全開位置に至るまでの作動可能範囲で回転動作（回転角度を変更）することで、第１〜第４吸気ポート３の開口面積（第１〜第４吸気ポート３の開口率）を変更して吸入空気量を可変制御する（スロットル弁としての機能）。
【００２５】
また、第１〜第４バルブ５は、エンジンの始動時やアイドル運転時に、ＥＣＵからの制御信号（モータ印加電圧またはＰＷＭ信号のデューティ比等）に基づいて、スロットル全閉位置より僅かに開いた微小開度に保持される。このとき、第１〜第４バルブ５のバルブ上端部とシリンダヘッド１の上壁面との間に隙間が形成される。これにより、隙間を通過する吸気流が強化されるため、エンジンの各気筒の燃焼室内に縦方向の旋回流（吸気渦流、タンブル流）を生成できる（気流制御弁としての機能）。つまり第１〜第４バルブ５は、スロットル全閉位置より僅かに開いたスロットル全閉位置近傍期間でタンブル流を発生する。
【００２６】
ここで、スロットル弁としての機能および気流制御弁としての機能を併せ持つ第１〜第４バルブ５を駆動するアクチュエータは、電力の供給を受けると第１〜第４バルブ５を駆動する駆動力を発生する動力源であるモータ（主動力装置）６と、このモータ６のモータシャフト１１と第１〜第４バルブ５のバルブシャフト１３とを同軸的に連結するトーションバー１２と、モータ６のモータシャフト１１と第１〜第４バルブ５のバルブシャフト１３との間に位相差が生じた時、その位相差を解消する方向に第１〜第４バルブ５のバルブシャフト１３を駆動する補助動力装置とを備えている。
【００２７】
モータ６は、ＥＣＵによって電子制御されるモータ駆動回路を介して、自動車等の車両に搭載されたバッテリにそれぞれ電気的に接続されている。このモータ６は、そのモータシャフト（モータの回転軸）１１に一体化されたロータ（アーマチャ）、およびこのロータの外周側に対向配置されたステータ（フィールド）等によって構成されたブラシ付きの直流（ＤＣ）モータである。そして、モータ６のロータは、コイル２７が巻装されたコア２９を有している。また、モータ６のステータは、内周に複数の永久磁石（マグネット）を保持したモータヨークまたはモータフレームを有している。なお、ブラシ付きのＤＣモータの代わりに、ブラシレスＤＣモータや、誘導電動機または同期電動機等の交流（ＡＣ）モータを用いても良い。
ここで、モータ６は、ＥＣＵによって駆動（通電制御）されるように構成されている。  
【００２８】
モータ６のモータシャフト１１に連結するトーションバー１２は、モータ６のモータシャフト１１の出力部（トーションバー１２の入力部）に一体的に設けられるロータリバルブ１５と、第１〜第４バルブ５のバルブシャフト１３の入力部（トーションバー１２の出力部）に一体的に設けられるベーンロータ１６との間に配設されて、モータシャフト１１およびロータリバルブ１５とバルブシャフト１３およびベーンロータ１６との間の位相差を中立させる（解消する）ように弾性変形する。
【００２９】
補助動力装置は、第１〜第４バルブ５よりも下流側の第１〜第４吸気ポート３内の吸気圧力とエンジンの周囲環境（または自動車等の車両の使用環境）における大気圧力との圧力差を第１〜第４バルブ５を駆動する補助動力に利用している。この補助動力装置は、エンジン本体のシリンダヘッド１に一体的に設けられたケーシング１４と、モータ６のモータシャフト１１の出力部に一体的に設けられるロータリバルブ（第１回転体、位相差弁）１５と、第１〜第４バルブ５のバルブシャフト１３の入力部に一体的に設けられるベーンロータ（第２回転体）１６とによって構成されている。そして、補助動力装置は、モータシャフト１１およびロータリバルブ１５とバルブシャフト１３およびベーンロータ１６との間に位相差が生じた時、その位相差を解消する方向に第１〜第４バルブ５を駆動する補助動力を発生する。
【００３０】
ケーシング１４は、２つの第１、第２内部空間を有している。第１内部空間は、ベーンロータ１６のベーン１７によって２つの第１、第２密閉室（Ｌ室、Ｒ室）３１、３２に区画されている。また、第２内部空間は、ベーンロータ１６のベーン１８によって２つの第３、第４密閉室（Ｌ室、Ｒ室）３３、３４に区画されている。これらの第３、第４密閉室３３、３４は、２つの第１、第２密閉室３１、３２にそれぞれ対向して配設されている。  ロータリバルブ１５は、トーションバー１２よりもモータ側に配設されている。このロータリバルブ１５は、トーションバー１２の周囲を取り囲むように円筒部（スリーブ部）を有している。このロータリバルブ１５は、モータ６のモータシャフト１１の出力部およびトーションバー１２の入力部に一体的に設けられて、モータ６のモータシャフト１１と一体的に回転する。
【００３１】
ロータリバルブ１５の円筒部の外周には、第１〜第４バルブ５よりも下流側の第１〜第４吸気ポート３に連通する２つの第１、第２外周凹部４１、４２が外周面より内周側に凹むように形成されている。なお、２つの第１、第２外周凹部４１、４２は、ベーンロータ１６に形成された２つの第１、第２流体流路４３、４４、ケーシング１４に形成された環状の流体流路４５、流体流路４６、逆止弁４７、流体流路４９を経由して、第１〜第４バルブ５よりも下流側の第１〜第４吸気ポート３に連通している。
また、ロータリバルブ１５の円筒部の外周には、大気と連通する４つの第１〜第４外周凹部５１〜５４が外周面より内周側に凹むように形成されている。
逆止弁４７は、吸気行程中の気筒に他の気筒から空気が引かれてしまうと、補助動力装置の方から空気を引けなくなるので、吸気行程中の気筒に他の気筒から空気が引かれるのを防止するための逆流防止弁である。
また、ロータリバルブ１５の円筒部の外周には、ベーンロータ１６との間に所定の位相差を許容するように、ベーンロータ１６の内周に形成される２つのストッパ溝５５内に嵌め合わされる２つの嵌合凸部（係合部）５６が設けられている。
【００３２】
ここで、ロータリバルブ１５は、ベーンロータ１６との位相差に応じて、第１連通状態、中立位置（中立状態）および第２連通状態を切り替える位相差切替弁を構成する。
第１連通状態では、２つの第１、第２外周凹部４１、４２とベーンロータ１６の内周に形成される２つの第１、第３内周凹部６１、６３とを連通する２つの第１、第２負圧導入流路、および２つの第２、第４外周凹部５２、５４とベーンロータ１６の内周に形成される２つの第２、第４内周凹部６２、６４とを連通する２つの第１、第２大気圧導入流路が形成される。この第１連通状態は、モータ６のモータシャフト１１が正転方向に回転し、ロータリバルブ１５が開弁作動方向に駆動されて、ロータリバルブ１５とベーンロータ１６との間に位相差が生じている時に形成される。
【００３３】
また、中立状態では、２つの第１、第２外周凹部４１、４２または４つの第１〜第４外周凹部５１〜５４と４つの第１〜第４内周凹部６１〜６４との連通状態が遮断される。この中立状態は、補助動力装置による補助動力によってロータリバルブ１５とベーンロータ１６との間の位相差が解消された時に形成される。
また、第２連通状態では、２つの第１、第２外周凹部４１、４２と２つの第２、第４内周凹部６２、６４とを連通する２つの第１、第２負圧導入流路、および２つの第１、第３外周凹部５１、５３と２つの第１、第３内周凹部６１、６３とを連通する２つの第１、第２大気圧導入流路が形成される。この第２連通状態は、モータ６のモータシャフト１１が逆転方向に回転し、ロータリバルブ１５が閉弁作動方向に駆動されて、ロータリバルブ１５とベーンロータ１６との間に位相差が生じている時に形成される。
【００３４】
ベーンロータ１６は、トーションバー１２よりもバルブ側に配設されている。このベーンロータ１６は、ロータリバルブ１５の周囲を取り囲むように円筒部（スリーブ部）を有している。このベーンロータ１６の円筒部には、ベーンロータ１６の円筒部より半径方向に突出するように２つのベーン１７、１８が設けられている。
ベーンロータ１６は、第１〜第４バルブ５のバルブシャフト１３の入力部およびトーションバー１２の出力部に一体的に設けられて、第１〜第４バルブ５のバルブシャフト１３と一体的に回転する。このベーンロータ１６は、ト−ションバー１２の撓み量に応じて、ロータリバルブ１５に対して相対的な回転方向の位置関係（位相差）が変化する。
【００３５】
また、ベーンロータ１６の円筒部の内周には、対向するように２つのストッパ溝（被係合部）５５が開口している。
２つのストッパ溝５５の左回転方向の第１溝側面（Ｌ側面）は、モータ６のモータシャフト１１が開弁作動方向に回転した際に、ト−ションバー１２が撓むと、ロータリバルブ１５の２つの嵌合凸部５６が当接する第１当接面として機能する。ロータリバルブ１５の２つの嵌合凸部５６が２つのストッパ溝５５の第１当接面に当接した際の、ロータリバルブ１５とベーンロータ１６との間の位相差は、最大位相差（θ＝＋α°）となる。
また、２つのストッパ溝５５の右回転方向の第２溝側面（Ｒ側面）は、モータ６のモータシャフト１１が閉弁作動方向に回転した際に、ト−ションバー１２が撓むと、ロータリバルブ１５の２つの嵌合凸部５６が当接する第２当接面として機能する。ロータリバルブ１５の２つの嵌合凸部５６が２つのストッパ溝５５の第２当接面に当接した際の、ロータリバルブ１５とベーンロータ１６との間の位相差は、最大位相差（θ＝−α°）となる。  
【００３６】
ここで、図４に示した位置関係の時には、ロータリバルブ１５に対してベーンロータ１６が中立位置（位相差ゼロ）となる。
また、ベーンロータ１６の円筒部の内周には、２つの第１、第２密閉室３１、３２に連通する２つの第１、第２内周凹部６１、６２、および２つの第３、第４密閉室３３、３４に連通する２つの第３、第４内周凹部６３、６４が形成されている。また、ベーンロータ１６の円筒部には、４つの第１〜第４ポート７１〜７４が形成されている。２つの第１、第２ポート７１、７２は、ベーンロータ１６のベーン１７の根元部の周方向の両側に形成されている。また、２つの第３、第４ポート７３、７４は、ベーンロータ１６のベーン１８の根元部の周方向の両側に形成されている。
【００３７】
ここで、例えばロータのコイル２７が電力の供給を受けると、第１〜第４バルブ５のバルブシャフト１３を駆動する駆動力を発生するモータ６は、ＥＣＵによって通電制御（駆動）されるように構成されている。このＥＣＵには、マイクロコンピュータ、Ａ／Ｄ変換器およびモータ駆動回路が設けられている。
マイクロコンピュータは、制御処理や演算処理を行うＣＰＵ、制御プログラムまたは制御ロジックや各種データを保存する記憶装置（ＲＡＭやＲＯＭ等のメモリ）、入力回路（入力部）、出力回路（出力部）、電源回路、タイマー等の機能を含んで構成される周知の構造を備えている。
【００３８】
また、マイクロコンピュータは、イグニッションスイッチがオン（ＩＧ・ＯＮ）されると、メモリ内に格納された制御プログラムまたは制御ロジックに基づいて、点火装置（イグニッションコイル、スパークプラグ等）および燃料噴射装置（電動フューエルポンプ、インジェクタ２３等）を電子制御する。また、マイクロコンピュータは、イグニッションスイッチがオン（ＩＧ・ＯＮ）されると、メモリ内に格納された制御プログラムまたは制御ロジックに基づいて、電子スロットル装置（吸気渦流発生装置）のモータ６を制御する制御量としての駆動デューティ比（ＤＵＴＹ比）を算出する。
【００３９】
また、マイクロコンピュータは、第１〜第４バルブ５があるバルブ開度（バルブ角度）で停止状態にあるとき、その停止状態を保持するために必要なＤＵＴＹ比を算出する。そして、マイクロコンピュータは、算出されたＤＵＴＹ比に対応した制御信号（ＰＷＭ信号：パルス幅変調信号）を、モータ駆動回路を介して、電子スロットル装置（吸気渦流発生装置）のモータ６に出力する。これにより、モータ６のロータのコイル２７を流れるモータ駆動電流が制御されるため、モータ６が駆動されてモータシャフト１１が回転し、トーションバー１２を介してバルブシャフト１３にモータ６の駆動力が伝わる。このため、第１〜第４バルブ５が制御指令値（制御目標値）となるように制御される。
【００４０】
ここで、モータ駆動回路は、マイクロコンピュータで算出されるＤＵＴＹ比に基づいて、モータ６のロータのコイル２７に印加するモータ印加電圧を変更し、モータ６のロータのコイル２７を流れるモータ駆動電流を変化させるようにしたＰＷＭ方式の駆動回路が使用されている。なお、ＤＵＴＹ比が増加する程、モータ駆動電流も増加する。
また、マイクロコンピュータは、イグニッションスイッチがオフ（ＩＧ・ＯＦＦ）されると、メモリ内に格納された制御プログラムまたは制御ロジックに基づく上記のスロットルバルブ開度制御（吸気流制御バルブ開度制御）、点火制御や燃料噴射制御等を含むエンジン制御等が強制的に終了されるように構成されている。
【００４１】
また、ＥＣＵは、エアフローメータ、クランク角度センサ、アクセル開度センサ、バルブ開度センサ、吸気温センサ、吸気圧センサおよび冷却水温センサ等の各種センサからのセンサ信号が、Ａ／Ｄ変換器によってＡ／Ｄ変換された後に、マイクロコンピュータに入力されるように構成されている。
ここで、ＥＣＵは、エアフローメータより出力される吸入空気量信号、あるいは吸気圧センサより出力される第１〜第４吸気ポート圧力信号に基づいて、インジェクタ２３を電子制御している。また、ＥＣＵは、アクセル開度センサより出力されるアクセル開度信号に基づいて、モータ６を電子制御している。あるいは、第１〜第４バルブ５のバルブ開度を検出するバルブ開度センサをエンジン本体に装着して、アクセル開度センサより出力されるアクセル開度信号とバルブ開度センサより出力されるバルブ開度信号との偏差に基づいて、モータ６を電子制御しても良い。
【００４２】
［実施例１の作用］
次に、本実施例の電子スロットル装置（吸気渦流発生装置）の作用を図１ないし図５に基づいて簡単に説明する。
【００４３】
モータ６のロータのコイル２７に電力が供給されていない場合には、図４に示したように、モータシャフト１１およびロータリバルブ１５とバルブシャフト１３およびベーンロータ１６との間の位相差が零（ゼロ）であるので、トーションバー１２の復元力（弾性変形力）によって、ロータリバルブ１５に対してベーンロータ１６が中立位置に保持される。このため、２つの第１、第２密閉室３１、３２内の流体圧力（空気圧）、および２つの第３、第４密閉室３３、３４内の流体圧力（空位圧）は等しく、ベーンロータ１６に動力が生じないので、ロータリバルブ１５とベーンロータ１６との間に位相ずれが生じない。  
【００４４】
次に、ＥＣＵは、イグニッションスイッチがオン（ＩＧ・ＯＮ）されると、モータ６のロータのコイル２７に電力を供給すると共に、点火装置（イグニッションコイル、スパークプラグ等）および燃料噴射装置（電動フューエルポンプ、インジェクタ２３等）を駆動する。これにより、エンジンが運転される。
ここで、運転者がアクセルペダルを踏み込むと、アクセル開度センサより出力されたアクセル開度信号がＥＣＵに入力される。
そして、ＥＣＵによって第１〜第４バルブ５が、アクセル開度に対応した所定のスロットル開度（バルブ角度）となるようにモータ６のロータのコイル２７への電力の供給が成されて、モータシャフト１１が回転すると、トーションバー１２が撓み、ロータリバルブ１５が中立位置から外れる。そして、ロータリバルブ１５がベーンロータ１６に対してある回転角度（最大位相差：θ＝＋α°）分だけ相対回転した後に、ロータリバルブ１５の外周の２つの嵌合凸部５６が２つのストッパ溝５５の第１当接面（Ｌ側面）に当接する。これにより、ロータリバルブ１５とベーンロータ１６とが係合状態となり、ロータリバルブ１５の回転に伴ってベーンロータ１６もロータリバルブ１５に追従して回転する（図５参照）。
【００４５】
そして、ロータリバルブ１５の回転によりバルブシャフト１３も回転し、第１〜第４バルブ５があるバルブ開度で停止状態に保持される。このとき、ロータリバルブ１５が中立位置から外れているので、２つの第１、第２外周凹部４１、４２と第１、第３内周凹部６１、６３とが連通し、２つの第２、第４外周凹部５２、５４と第２、第４内周凹部６２、６４とが連通する第１連通状態となる。
この結果、図５に示したように、第１、第３密閉室３１、３３に吸気負圧（第１〜第４バルブ５よりも下流側の第１〜第４吸気ポート３内の吸気圧力）が導かれ、第２、第４密閉室３２、３４に大気圧力が導かれ、ロータリバルブ１５に対して中立になるように、つまりロータリバルブ１５に対する相対的な回転方向の位相差を解消する方向にベーンロータ１６に駆動力が働く。このため、ベーンロータ１６がロータリバルブ１５に追従するように回転する。これにより、補助動力装置によってモータシャフト１１とバルブシャフト１３との間の位相差を解消する方向にバルブシャフト１３が駆動される。よって、ロータリバルブ１５に対してベーンロータ１６が中立位置に保持される。これにより、モータ６のモータシャフト１１とバルブシャフト１３との間の相対的な回転方向の位相差が解消される。
【００４６】
これによって、トーションバー１２を介して、モータ６のモータシャフト１１に駆動連結されたバルブシャフト１３が、アクセルペダルの踏み込み量（アクセル操作量）に対応したバルブ角度分だけ回転する。
したがって、モータ６のモータシャフト１１の回転角度分だけバルブシャフト１３が回転するので、バルブシャフト１３の各バルブ保持部に支持固定された第１〜第４バルブ５が、スロットル全閉位置近傍よりスロットル全開位置側へ開く方向（開弁作動方向）に駆動される。
そして、エンジンの特定気筒（例えば第１気筒＃１）が、排気行程から、吸気バルブ２１が開弁し、ピストン２４が下降する吸気行程に移行すると、ピストン２４の下降に従って当該気筒の燃焼室内の吸気負圧（大気圧力よりも低い圧力）が大きくなり、開弁している第１〜第４吸気ポート３から燃焼室に混合気が吸い込まれる。このとき、シリンダヘッド１の内部に形成される第１〜第４吸気ポート３が所定のバルブ角度だけ開かれるので、エンジン回転速度がアクセルペダルの踏み込み量（アクセル操作量）に対応した速度に変更される。
【００４７】
また、運転者がアクセルペダルより足を離すと、モータ６のロータのコイル２７への供給電力が所定値（第１〜第４バルブ５をスロットル全閉位置近傍に停止状態で保持することが可能な供給電力）に変更される。そして、モータ６のロータのコイル２７への供給電力を所定値に保持することによってモータシャフト１１が逆回転する。すると、トーションバー１２が撓み、ロータリバルブ１５が中立位置から外れる。そして、ロータリバルブ１５がベーンロータ１６に対してある回転角度（最大位相差：θ＝−α°）分だけ相対回転した後に、ロータリバルブ１５の外周の２つの嵌合凸部５６が２つのストッパ溝５５の第２当接面（Ｒ側面）に当接する。これにより、ロータリバルブ１５とベーンロータ１６とが係合状態となり、ロータリバルブ１５の回転に伴ってベーンロータ１６もロータリバルブ１５に追従して回転する。
そして、ロータリバルブ１５の回転によりバルブシャフト１３も回転し、第１〜第４バルブ５がスロットル全閉位置近傍で停止状態に保持される。このとき、ロータリバルブ１５が中立位置から外れているので、２つの第１、第２外周凹部４１、４２と第２、第４内周凹部６２、６４とが連通し、２つの第１、第３外周凹部５１、５３と第１、第３内周凹部６１、６３とが連通する第２連通状態となる。
【００４８】
この結果、第１、第３密閉室３１、３３に大気圧力が導かれ、第２、第４密閉室３２、３４に吸気負圧が導かれ、ロータリバルブ１５に対して中立になるように、つまりロータリバルブ１５に対する相対的な回転方向の位相差を解消する方向にベーンロータ１６に駆動力が働く。このため、ベーンロータ１６がロータリバルブ１５に追従するように回転する。これにより、補助動力装置によってモータシャフト１１とバルブシャフト１３との間の位相差を解消する方向にバルブシャフト１３が駆動される。よって、ロータリバルブ１５に対してベーンロータ１６が中立位置に保持される。これにより、モータ６のモータシャフト１１とバルブシャフト１３との間の相対的な回転方向の位相差が解消される。
【００４９】
これによって、トーションバー１２を介して、モータ６のモータシャフト１１に駆動連結されたバルブシャフト１３が、スロットル全閉位置（アイドル位置）近傍まで戻される（図４参照）。これにより、第１〜第４バルブ５が、スロットル全閉位置近傍に戻されるため、第１〜第４バルブ５の半径方向の外周端部と第１〜第４吸気ポート３のポート壁面との間の隙間が、アイドル回転速度を維持することが可能な大きさとなる。
したがって、シリンダヘッド１の内部に形成される第１〜第４吸気ポート３を経由してエンジンの各気筒の燃焼室内に吸入される吸入空気量が最小となり、エンジン回転速度がアイドル回転速度となる。
【００５０】
ここで、ＥＣＵは、エンジン始動時またはアイドル運転時に、第１〜第４バルブ５がスロットル全閉位置近傍で保持できるようにモータ６のロータのコイル２７への供給電力を所定値に保持している。
この場合、エンジンの吸気管、特にインテークマニホールドの各分岐管部から、第１〜第４吸気ポート３の共通吸気ポート内に流入した吸気流は、図２に白抜き矢印で示したように、第１〜第４吸気ポート３の重力方向における上部側に偏って形成され、共通吸気ポートから２つの分岐吸気ポート内に流れ込む。
【００５１】
そして、第１〜第４吸気ポート３の２つの分岐吸気ポート内に流れ込んだ吸気流は、２つの分岐吸気ポートの各バルブシートのスロート部を通過して、吸気バルブ２１に到達し、２つの分岐吸気ポートの各吸気ポート開口部から燃焼室内に流れ込む。
このとき、２つの分岐吸気ポートの各吸気ポート開口部から燃焼室内に流れ込んだ吸気流は、その第１〜第４吸気ポート形状（円弧状に滑らかに屈曲した第１〜第４吸気ポート形状）および吸気バルブ２１の開弁状態によって燃焼室内を縦方向に旋回するタンブル流となる。
そして、２つの分岐吸気ポートの各吸気ポート開口部から燃焼室内に流れ込んだ吸気流は、適度なタンブル流を燃焼室内で形成できるため、エンジン始動時またはアイドル運転時における燃焼室内での燃焼効率を向上させることができる。
【００５２】
以上のように、第１〜第４バルブ５をあるバルブ開度（スロットル全閉位置近傍）で停止状態に保持している場合、第１〜第４バルブ５の開口率は０に近く、第１〜第４バルブ５よりも下流側の第１〜第４吸気ポート３内の吸気圧力（吸気負圧）と大気圧力との間に大きな圧力差が生じる。ここで、モータ６のロータのコイル２７に電力を供給してモータ６を駆動することで、第１〜第４バルブ５をスロットル全閉位置近傍で停止状態に保持すると、第１〜第４バルブ５に吸気負圧が作用して第１〜第４バルブ５に開弁作動方向への負荷トルク（曲げモーメント）が加わる。これにより、第１〜第４バルブ５のバルブシャフト１３に負荷トルクの大きさに対応した捩じれが発生する。
【００５３】
ここで、本実施例の電子スロットル装置（吸気渦流発生装置）においては、ロータリバルブ１５とベーンロータ１６との間に、モータシャフト１１とバルブシャフト１３とを同軸的に連結するトーションバー１２を配設している。これにより、バルブシャフト１３に捩じれが発生すると、モータシャフト１１とバルブシャフト１３との間に位相差が生じる。そして、モータシャフト１１とバルブシャフト１３との間に位相差が生じると、トーションバー１２が撓み、ロータリバルブ１５が中立位置から外れ、図５に示したように、２つの第１、第２外周凹部４１、４２と第１、第３内周凹部６１、６３とが連通し、２つの第２、第４外周凹部５２、５４と第２、第４内周凹部６２、６４とが連通する。
【００５４】
この結果、第１、第３密閉室３１、３３に吸気負圧（第１〜第４バルブ５よりも下流側の第１〜第４吸気ポート３内の吸気圧力）が導かれ、第２、第４密閉室３２、３４に大気圧力が導かれ、ロータリバルブ１５に対して中立になるように、つまりロータリバルブ１５に対する相対的な回転方向の位相差を解消する方向にベーンロータ１６に駆動力が働く。このため、ベーンロータ１６がロータリバルブ１５に追従するように回転する。これにより、補助動力装置によってモータシャフト１１とバルブシャフト１３との間の位相差を解消する方向にバルブシャフト１３が駆動される。よって、ロータリバルブ１５に対してベーンロータ１６が中立位置に保持される。これにより、モータ６のモータシャフト１１とバルブシャフト１３との間の相対的な回転方向の位相差が解消される。
このため、ベーンロータ１６は、ロータリバルブ１５に対して中立位置に保持されるので、第１〜第４バルブ５の前後に大きな圧力差があっても、第１〜第４バルブ５をスロットル全閉位置近傍に保持することができる。
【００５５】
［実施例１の効果］
以上のように、本実施例の電子スロットル装置（吸気渦流発生装置）においては、第１〜第４バルブ５が、スロットル全閉位置より少しだけ開いたスロットル全閉位置近傍で停止状態となると、第１〜第４バルブ５に吸気負圧が作用する。このとき、第１〜第４バルブ５に開弁作動方向への負荷トルク（曲げモーメント）が加わった場合であっても、補助動力装置の補助動力、つまりロータリバルブ１５に対する相対的な回転方向の位相差を解消する方向に作用するベーンロータ１６の駆動力により第１〜第４バルブ５をスロットル全閉位置近傍で保持することが可能となる。
この結果、第１〜第４バルブ５を駆動する駆動力を発生する動力源（主動力装置）であるモータ６の出力の増強および駆動力の増加を抑えることができる。つまりモータ６の駆動力を小さくすることができる。
【実施例２】
【００５６】
図６は本発明の実施例２を示したもので、エンジンのシリンダヘッドに取り付けられた補助駆動装置を示した図である。
本実施例の補助動力装置は、ケーシング（第１ケーシング）１４とベーンロータ１６との間に、連れ回り箱（第２ケーシング）１９を有している。この連れ回り箱１９は、ケーシング１４に対して相対回転が可能で、ベーンロータ１６に対して回転角度範囲内で相対回転が可能で、その回転角度範囲外でベーンロータ１６と同期して一体的に回転する。連れ回り箱１９は、２つの第１、第２内部空間を有している。
【００５７】
第１内部空間は、ベーンロータ１６のベーン１７によって２つの第１、第２密閉室（Ｌ室、Ｒ室）３１、３２に区画されている。また、第２内部空間は、ベーンロータ１６のベーン１８によって２つの第３、第４密閉室（Ｌ室、Ｒ室）３３、３４に区画されている。これらの第３、第４密閉室３３、３４は、２つの第１、第２密閉室３１、３２にそれぞれ対向して配設されている。
これによって、連れ回り箱１９によりベーンロータ１６のパワー作用角を小さくすることができるので、ロータリバルブ１５に対する相対的な回転方向の位相差を解消する方向に作用するベーンロータ１６の応答性（レスポンス）、つまりロータリバルブ１５に対する追従性を向上することができる。
【００５８】
［変形例］
本実施例では、本発明を、エンジン本体の第１〜第４吸気ポート（エンジンの燃焼室に連通する吸気通路）３の開口率を連続的に変化させて吸入空気量を調整する電子スロットル装置に適用しているが、本発明を、エンジンの燃焼室に連通する吸気通路の通路断面積を連続的に変化させて吸入空気量を調整する電子スロットル装置に適用しても良い。
本実施例では、吸気渦流発生装置を、エンジンの各気筒毎の燃焼室内に縦方向の旋回流（吸気渦流、タンブル流）を発生させるように構成したが、吸気渦流発生装置を、エンジンの各気筒毎の燃焼室内に横方向の旋回流（吸気渦流、スワール流）を発生させるように構成しても良い。また、吸気渦流発生装置を、エンジンの燃焼を促進させるためのスキッシュ渦を発生させるように構成しても良い。
【００５９】
本実施例では、本発明を、１つの燃焼室に対して２つの分岐吸気ポートを有する内燃機関（エンジン）に適用したが、１つの燃焼室に対して１つの第１〜第４吸気ポート、あるいは３つ以上の分岐吸気ポートを有する内燃機関（エンジン）に適用しても良い。１つの燃焼室に連通する吸気ポートと排気ポートとのポート数が異なっても良い。
なお、第１〜第４バルブ５のバルブシャフト（バルブの回転軸）１３を開弁作動方向または閉弁作動方向に付勢するスプリング等のバルブ付勢手段を設置しても良く、あるいは設置しなくても良い。
また、バルブを、インテークマニホールド内、あるいはインテークマニホールドを除く他の吸気管内に組み込んでも良い。
また、モータ（主動力装置）、トーションバーおよび補助動力装置を有するアクチュエータ（バルブ駆動装置）を複数のバルブ毎に独立して配設しても良い。
【００６０】
本実施例では、第１〜第４バルブ５よりも下流側の第１〜第４吸気ポート（吸気通路）３内の吸気圧力とエンジンの周囲環境における大気圧力との圧力差を第１〜第４バルブ５を駆動する補助動力に利用しているが、オイルポンプで発生する高圧の油圧力とオイルパン（リザーバ）にオイルを戻す油路内の低圧の油圧力との圧力差を第１〜第４バルブ５を駆動する補助動力に利用しても良い。この場合には、ロータリバルブ１５の外周に形成される２つの第１、第２外周凹部４１、４２をオイルパン（リザーバ）にオイルを戻す油路と連通させ、４つの第１〜第４外周凹部５１〜５４をオイルポンプより高圧のオイルが圧送される油路と連通させる。
また、補助動力として、空気圧、油圧だけでなく、水圧、ガス圧等の他の流体圧を使用しても良い。
【図面の簡単な説明】
【００６１】
【図１】内燃機関の吸気制御装置を示した概略図である（実施例１）。
【図２】エンジンを示した概略図である（実施例１）。
【図３】エンジンのシリンダヘッドに取り付けられた補助駆動装置を示した断面図である（実施例１）。
【図４】エンジンのシリンダヘッドに取り付けられた補助駆動装置を示した断面図である（実施例１）。
【図５】エンジンのシリンダヘッドに取り付けられた補助駆動装置を示した断面図である（実施例１）。
【図６】エンジンのシリンダヘッドに取り付けられた補助駆動装置を示した断面図である（実施例２）。
【符号の説明】
【００６２】
１  シリンダヘッド（ダクト）
３  第１〜第４吸気ポート（吸気通路）
５  第１〜第４バルブ
６  モータ（主動力装置、動力源）
１１  モータシャフト（モータの回転軸）
１２  トーションバー
１３  バルブシャフト（バルブの回転軸）
１４  ケーシング（補助動力装置）
１５  ロータリバルブ（補助動力装置、第１回転体）
１６  ベーンロータ（補助動力装置、第２回転体）
１７  ベーン
１８  ベーン
１９  連れ回り箱
【図１】
2009133293.tif 000003
【図２】
2009133293.tif 000004
【図３】
2009133293.tif 000005
【図４】
2009133293.tif 000006
【図５】
2009133293.tif 000007
【図６】
2009133293.tif 000008